(57)【要約】【課題】ＩＣのベアチップをプリント配線板に良好に接続することが可能な構造を有するＩＣ搭載基板を提供する。【解決手段】ＩＣ搭載基板１は、絶縁材（ＰＴＦＥ等）からなる絶縁層２０、及びその絶縁層２０上に形成された配線パターン１０が銅板３０ａ上に複数積層されてなる多層プリント配線板２と、ＩＣのベアチップ３とが電気的に接続された構造を有する。そして、配線パターン１０のうち、ベアチップ３が電気的に接続される部位を電極部１０ａ〜１０ｆとして、多層プリント配線板２の絶縁層２０に設けられたキャビティのうち、配線パターン１０の電極部１０ａ〜１０ｆに対向する領域（直下領域）に銅部材６が嵌合されている。なお、銅部材６は、金属基台３０の一部として銅板３０ａに突設されている。このため、絶縁層２０のうち直下領域の剛性が銅部材６により補強された構造となる。【選択図】図１
2010205772.tif 000002
【特許請求の範囲】
【請求項１】
絶縁材からなる絶縁層、及び該絶縁層上に形成された配線パターンが金属基台に積層されてなるプリント配線板に、ＩＣのベアチップが搭載され、且つ該プリント配線板と該ベアチップとが電気的に接続されたＩＣ搭載基板であって、
前記配線パターンのうち前記ベアチップが電気的に接続される部位を電極部として、
前記絶縁層のうち前記電極部に対向する直下領域に、前記金属基台に突設された金属部材が埋設されていることを特徴とするＩＣ搭載基板。
【請求項２】
前記絶縁材は、熱可塑性樹脂であることを特徴とする請求項１に記載のＩＣ搭載基板。
【請求項３】
前記直下領域は、前記電極部に対応して複数設けられていることを特徴とする請求項１または請求項２に記載のＩＣ搭載基板。
【請求項４】
前記プリント配線板は、前記絶縁層および前記配線パターンが複数積層されてなる多層プリント配線板であることを特徴とする請求項１ないし請求項３のいずれかに記載のＩＣ搭載基板。
【請求項５】
前記金属部材は、複数の前記絶縁層のうち、前記電極部が形成された絶縁層を一層目、該一層目の絶縁層に前記電極部の反対側から積層された絶縁層を二層目として、前記一層目を除き、且つ前記二層目を含む絶縁層の全てに渡って埋設されていることを特徴とする請求項４に記載のＩＣ搭載基板。
【請求項６】
前記多層プリント配線板は、複数の前記絶縁層のうち、前記一層目の絶縁層の厚みが、他の絶縁層の厚みに比べて小さいことを特徴とする請求項５に記載のＩＣ搭載基板。
【請求項７】
前記多層プリント配線板は、複数の前記配線パターンが線路パターンとグランドパターンとの組合せからなるマイクロストリップ線路により形成され、
複数の前記絶縁層のうち、前記一層目の絶縁層において前記電極部を含む側の第一面上には前記線路パターン、前記一層目と前記二層目とが重なる第二面上には、前記直下領域に相当する領域にのみ前記グランドパターン、前記二層目の絶縁層において前記一層目に対する反対側の第三面上には前記グランドパターンがそれぞれ形成され、
前記第二面上および前記第三面上のグランドパターンは、前記二層目の絶縁層に設けられたビアを介在して接続されていることを特徴とする請求項５または請求項６に記載のＩＣ搭載基板。
【請求項８】
前記絶縁材は、前記配線パターンと同じ線膨張係数となるように予め補填材が含まれ、
前記金属基台および前記金属部材は、前記配線パターンと同じ線膨張係数を有する材質であることを特徴とする請求項１ないし請求項７のいずれかに記載のＩＣ搭載基板。
【請求項９】
絶縁材からなる絶縁層、及び該絶縁層上に形成された配線パターンが金属基台に積層されてなるプリント配線板であって、
前記配線パターン上にＩＣのベアチップを電気的に接続するための電極部を備え、
前記絶縁層は、前記絶縁層のうち前記電極部に対向する直下領域に、前記金属基台に突設された金属部材が埋設されていることを特徴とするプリント配線板。
【請求項１０】
絶縁材からなる絶縁層、及び該絶縁層上に形成された配線パターンが金属基台に複数積層されてなる多層プリント配線板に、ＩＣのベアチップが搭載され、且つ該プリント配線板と該ベアチップとが電気的に接続されたＩＣ搭載基板の製造方法において、
前記配線パターンのうち、前記ベアチップが電気的に接続される部位を電極部、複数の前記絶縁層のうち、前記電極部が形成された絶縁層を一層目、該一層目の絶縁層に前記電極部の反対側から積層される絶縁層を二層目として、前記一層目を除き、且つ前記二層目を含む絶縁層の全てに渡って、前記電極部に対向する直下領域にキャビティを形成する第一行程と、
該第一行程により形成されたキャビティに、前記金属基台に突設された金属部材を嵌合させて、複数の前記絶縁層の全てを前記金属基台上に積層する第二行程と、
を行うことを特徴とするＩＣ搭載基板の製造方法。
【発明の詳細な説明】
【技術分野】
【０００１】
絶縁材からなる絶縁層、及びその絶縁層上に形成された配線パターンが金属基台に積層されたプリント配線板に、ＩＣのベアチップが搭載された構造を有するＩＣ搭載基板、このＩＣ搭載基板を構成するプリント配線板、及び製造方法に関する。
【背景技術】
【０００２】
従来より、絶縁材からなる絶縁層と、銅等の導電線からなる配線パターンとを、金属基台上に実装して形成されたプリント配線板に、シリコン等の半導体からなるＩＣのベアチップが搭載された構造を有するＩＣ搭載基板が知られている。
【０００３】
一般的に、このＩＣ搭載基板の製造過程では、ベアチップのパッド部と配線パターンの電極部とを導体ワイヤを介してボンディングするワイヤボンディング接続や、ベアチップのパッド部に形成されたバンプを介してＩＣをプリント配線板上にボンディングするフリップチップ接続が行われる。
【０００４】
具体的に、これら接続では、導体ワイヤあるいはバンプ（以下、接続用媒体という）にその材質として金が用いられる場合、通常１５０〜２００℃程度に加熱されたヒートステージ（セラミックや金属等）にプリント配線板を載置し、そのプリント配線板上の接続用媒体に対して超音波振動を用いる熱圧着方式（超音波熱圧着方式）が採用される。
【０００５】
また、ＩＣ搭載基板では、ガラスエポキシ樹脂や紙フェノールといった絶縁材が用いられることが多いが、その用途がミリ波等の高周波信号を扱うものである場合、これら絶縁材に比べて誘電正接の低い四フッ化エチレン樹脂（ＰＴＦＥ）等のフッ素樹脂が用いられることが多い（例えば、特許文献１参照）。つまり、このように誘電正接が低い絶縁材を選定することにより、信号周波数と誘電正接とに比例するエネルギー損失（誘電体損失）を抑制することが可能となる。
【先行技術文献】
【特許文献】
【０００６】
【特許文献１】特開平７−３２３５０１号公報
【発明の概要】
【発明が解決しようとする課題】
【０００７】
ところで、ＰＴＦＥ等のフッ素樹脂や液晶ポリマー（ＬＣＰ）といった高周波用途に適した絶縁材は、一般的に１５０〜２００℃程度の高温時に弾性率が著しく低下することが知られている。
【０００８】
このため、ＩＣ搭載基板の製造過程において、ワイヤボンディング接続やフリップチップ接続を行う際に、ヒートステージ上のプリント配線板に含まれる絶縁材が、接続用媒体に与えられた超音波および荷重を分散させてしまうことにより、これら接続が適切になされず、ひいてはＩＣ搭載基板の信頼性を損なう可能性があるという問題があった。
【０００９】
本発明は、上記問題点を解決するために、絶縁材の材質にかかわらず、ＩＣのベアチップをプリント配線板に良好に接続することが可能な構造を有するＩＣ搭載基板、このＩＣ搭載基板を構成するプリント配線板、及び製造方法を提供することを目的とする。
【課題を解決するための手段】
【００１０】
上記目的を達成するためになされた第一発明である請求項１に記載のＩＣ搭載基板は、絶縁材からなる絶縁層、及びその絶縁層上に形成された配線パターンが金属基台に積層されることにより構成されたプリント配線板に、ＩＣのベアチップが搭載され、且つこれらプリント配線板およびベアチップが電気的に接続された構造を有する。なお、配線パターンのうち、ベアチップが電気的に接続される部位を電極部とする。
【００１１】
ここで、プリント配線板の絶縁層のうち、配線パターンの電極部に対向する領域（以下、直下領域という）には、金属基台に突設された金属部材が埋設されていることを要旨とする。なお、絶縁層の直下領域とは、絶縁層の厚み方向をＺ軸として、配線パターンの電極部（ＩＣチップが電気的に接続される部位）からＺ軸方向に直下した絶縁層内の所定領域をいう。
【００１２】
このように構成されたＩＣ搭載基板では、絶縁層のうち直下領域の剛性が金属部材により補強された構造を有するため、その製造過程において、導体ワイヤやバンプ等の接続用媒体を介してベアチップと配線パターンとを接続する際に、プリント配線板側に与えられる超音波や荷重がＺ軸方向に伝わりやすくすることができる。
【００１３】
つまり、本発明のＩＣ搭載基板は、絶縁層を形成する絶縁材の材質にかかわらず、その絶縁材よりも剛性の高い金属部材により、導体ワイヤやバンプ等の接続用媒体を電極部に適切に熱融着させることができ、ひいてはＩＣのベアチップをプリント配線板に良好に接続することが可能な構造を有することになる。
【００１４】
ここで、絶縁層を形成する絶縁材は、例えばＰＴＦＥ等のフッ素樹脂や、ＰＥＥＫ（ポリエーテルエーテルケトン）等のプラスチック樹脂、ＬＣＰ（液晶ポリマー）等のように、一般的に用いられるガラスエポキシや紙フェノール等の樹脂に比べて誘電正接が低い絶縁樹脂や、プリント配線板の多層化に適した絶縁樹脂が熱可塑性を有するものが多いため、請求項２に記載のように、熱可塑性樹脂が採用され得る。
【００１５】
このように構成されたＩＣ搭載基板に
よれば、信号周波数と誘電正接とに比例するエネルギー損失（誘電体損失）を抑制することにより、ミリ波等の高周波信号を扱う機器に好適に使用することができる。
【００１６】
なお、絶縁層内の直下領域は、配線パターン上の電極部全てを網羅するように一つだけ設けられてもよいが、請求項３に記載のように、電極部に対応して複数設けられていることが望ましい。
【００１７】
このように構成されたＩＣ搭載基板によれば、絶縁層のうち金属部材の占める割合を小さくすることができ、絶縁層内に配線パターンが複数設けられたり、配線パターンがマイクロストリップ線路で形成されたりする場合、その配線密度を高くすることができる。
【００１８】
また、プリント配線板は、請求項４に記載のように、絶縁層および配線パターンが複数積層された構造を有する多層プリント配線板であることが望ましい。
このように構成されたＩＣ搭載基板によれば、プリント配線板の面積を小さくすることができる。
【００１９】
ところで、ＩＣ搭載基板の製造工程において、熱融着時の超音波と荷重の分散を抑制するために、絶縁層の厚みを極力小さくすることが考えられる。
そこで、具体的に多層プリント配線板における金属部材は、請求項５に記載のように、複数の絶縁層のうち、電極部が形成された絶縁層を一層目、その一層目の絶縁層に電極部の反対側から積層された絶縁層を二層目として、このうち一層目を除き、二層目を含む絶縁層の全てに渡って埋設されているとよい。
【００２０】
そして、多層プリント配線板は、請求項６に記載のように、複数の絶縁層のうち、一層目の絶縁層の厚みが、他の絶縁層の厚みに比べて小さくなるように構成されることが望ましい。
【００２１】
この場合、一層目の絶縁層を薄くすることにより、ＩＣ搭載基板の製造工程において、熱融着時の超音波と荷重の分散を抑制し、ベアチップをプリント配線板に適切に接続することができる。
【００２２】
しかし、プリント配線板の特性インピーダンスを所定値（例えば５０Ω）に合わせるためには、例えば配線パターンがマイクロストリップ線路で形成される場合、絶縁層の厚みを小さくするほど、信号線幅を狭くする必要がある。ここで、信号線幅を狭くしすぎると、線路の導体損が増加して、ひいては回路全体の損失が増加してしまうことが指摘される。
【００２３】
そこで、多層プリント配線板は、請求項７に記載のように、複数の配線パターンが線路パターンとグランドパターンとの組合せからなるマイクロストリップ線路により形成される。なお且つ、複数の絶縁層のうち、一層目の絶縁層において電極部を含む側の面（第一面）上には線路パターン、一層目と二層目とが重なる面（第二面）上には、直下領域に相当する領域にのみグランドパターン、二層目の絶縁層において一層目に対する反対側の面（第三面）上にはグランドパターンがそれぞれ形成される。この場合、第二面上および第三面上のグランドパターンが、二層目の絶縁層に設けられたビアを介在して接続されればよい。
【００２４】
このように構成されたＩＣ搭載基板によれば、実質的に一層目の絶縁層のうち直下領域に相当する部分のみを薄くすることに等しく、ベアチップをプリント配線板に適切に接続することができると共に、他の絶縁層の厚みを充分に確保することにより、信号線幅を不要に狭めることなく、線路の導体損を抑制することができる。
【００２５】
また、請求項８に記載のように、絶縁層を形成する絶縁材に、配線パターンと同じ線膨張係数となるように予め補填材が含まれている場合、金属基台および金属部材は、配線パターンと同じ線膨張係数を有する材質（例えば配線パターンと同じ材質）であることが望ましい。なお、補填材は、例えばガラスクロス等のように、線膨張係数が低い絶縁材料であればよく、この補填材を含む絶縁層、配線パターン、金属基台、及び金属部材の線膨張係数が厳密に等しいことを要求されるわけではない。
【００２６】
このように構成されたＩＣ搭載基板によれば、プリント配線板と金属基台（または金属部材）との剥離を防止することができる。また、その付随効果として、配線パターンと絶縁層との剥離を防止することもできる。
【００２７】
次に、第二発明であるプリント配線板は、請求項９に記載のように、絶縁材からなる絶縁層、及びその絶縁層上に形成された配線パターンが金属基台に積層されることにより構成され、その配線パターン上にＩＣのベアチップを電気的に接続するための電極部を備えている。ここで、絶縁層のうち電極部に対向する直下領域に、金属基台に突設された金属部材が埋設されていることを要旨とする。
【００２８】
このように構成されたプリント配線板によれば、第一発明であるＩＣ搭載基板に好適に用いることができる。
そして、第三発明である製造方法は、絶縁材からなる絶縁層、及びその絶縁層上に形成された配線パターンが金属基台に複数積層されてなる多層プリント配線板に、ＩＣのベアチップが搭載され、且つこれら多層プリント配線板およびベアチップが電気的に接続されたＩＣ搭載基板の製造方法である。なお、多層プリント配線板において、配線パターンのうちＩＣのベアチップが電気的に接続される部位を電極部、複数の絶縁層のうち、電極部が形成された絶縁層を一層目、その一層目の絶縁層に電極部の反対側から積層される絶縁層を二層目とする。
【００２９】
具体的に、第一行程では、複数の絶縁層のうち一層目を除き、二層目を含む絶縁層の全てに渡って、配線パターンの電極部に対向する直下領域にキャビティを形成する。そして、第二行程では、第一行程により形成されたキャビティに、金属基台に突設された金属部材を嵌合させて、複数の絶縁層の全てを金属基台上に積層することを要旨とする。
【００３０】
このようなＩＣ搭載基板の製造方法によれば、金属部材を絶縁層に埋設させることができ、ＩＣのベアチップを多層プリント配線板に良好に接続することができる。
【図面の簡単な説明】
【００３１】
【図１】第一実施形態におけるＩＣ搭載基板の構成を示す第１の構成図。
【図２】第一実施形態におけるＩＣ搭載基板の構成を示す第２の構成図。
【図３】第一実施形態のＩＣ搭載基板の製造方法における主要な行程を示す行程図。
【図４】第二実施形態におけるＩＣ搭載基板の構成を示す構成図。
【図５】第二実施形態のＩＣ搭載基板の製造方法における主要な行程を示す行程図。
【図６】他の実施形態におけるＩＣ搭載基板の構成を示す構成図。
【発明を実施するための形態】
【００３２】
以下に、本発明の第一実施形態を図面と共に説明する。
［第一実施形態］
図１及び図２は、第一実施形態におけるＩＣ搭載基板の構成を示す構成図、図３は、その製造方法における主要な行程を断面視で示す行程図である。
【００３３】
＜全体構成＞
図１に示すように、ＩＣ搭載基板１は、銅薄膜を加工して形成された複数の配線パターン１０が多層化された構造を有する多層プリント配線板２と、シリコン等の半導体からなるＩＣのベアチップ３と、コンデンサーや抵抗等のチップ部品４とを備え、多層プリント配線板２の表面に、ベアチップ３及びチップ部品４が実装されている。
【００３４】
なお、ベアチップ３と多層プリント配線板２の表面とは、金や銅等の導体ワイヤ５を介して電気的に接続されている。また、金属基台３０は、銅板３０ａに銅部材６が突設された形状を有し、例えば放熱板として用いられる。
【００３５】
ベアチップ３は、パッケージされていない半導体素子であり、いわゆるＡｇエポキシ樹脂やシリコン樹脂等の接着剤を介して、多層プリント配線板２の凹部２ａに載置されている。また、ベアチップ３におけるパッド部３ａ，３ｂには、導体ワイヤ５がボンディング接続されている。
【００３６】
多層プリント配線板２は、ガラスクロス（補填材に相当する）に四フッ化エチレン樹脂（ＰＴＦＥ）を含浸して形成された複数のプリプレグ（以下、絶縁層という）２０を備え、配線パターン１０が形成された複数の絶縁層２０が金属基台３０に載置された構造を有している。なお、ガラスクロスは、絶縁層２０と配線パターン１０（銅薄膜）との線膨張係数が等しくなるように、ＰＴＦＥの含浸量に応じた比率で絶縁層２０に含まれている。
【００３７】
また、多層プリント配線板２は、配線パターン１０が周知のマイクロストリップ線路により形成され、信号線幅、及び信号線とグランド線との間隔が、絶縁層２０の厚みを加味して、当該多層プリント配線板２の特性インピーダンスが所定値（例えば、５０Ω）となるように設計されている。なお、配線パターン１０には、図２に示すように、導体ワイヤ５が接続される部位として、信号線上の電極１０ａ，１０ｂ、及びグランドパッド１０ｃ〜１１ｆが設けられている。つまり、本実施形態の電極１０ａ，１０ｂ、及びグランドパッド１０ｃ〜１０ｆが電極部に相当する。
【００３８】
絶縁層２０は、三層が金属基台３０上にビルドアップされた絶縁層群を構成し、その厚み方向に沿って、電極部１０ａ〜１０ｆ側から順にＮ層目（Ｎ＝１〜３）とすると、２層目および３層目の絶縁層に２０おいて、電極部１０ａ〜１０ｆに対向する所定領域（直下領域に相当する）毎に、金属基台３０の銅部材６が複数設けられている。
【００３９】
なお、絶縁層２０の直下領域は、電極部１０ａ〜１０ｆ毎に複数設けられている。また、電極部１０ｃ〜１０ｆの直下の絶縁層２０（１層目のみ）にはビア７が配置されている。さらに、絶縁層２０の層間には、異なる絶縁層２０上に形成された信号線どうし、あるいはグランド線どうしを電気的に接続するビア７が適宜配置されている。
【００４０】
＜製造方法＞
次に、本実施形態のＩＣ搭載基板１の製造方法における主要な行程を説明する。
図３に示すように、ＩＣ搭載基板１の製造方法では、絶縁層２０と配線パターン１０とを一層毎に順次積み上げて作製されたベース基板８を、金属基台３０に張り合わせるビルトアップ方式が採用される。
【００４１】
まず、ベース基板８の作製行程ｉ）では、レーザ装置などを用いてプリプレグに貫通孔を設け、その貫通孔に導電ペーストを充填することにより、ビア７付のプリプレグ（絶縁層２０に相当する）を形成する。そして、このビア７付のプリプレグの両面に銅薄膜を、積層プレス又はロールラミネータ等を用いた加熱加圧により接着させ、銅薄膜のエッチングにより絶縁層２０上の配線パターン１０を形成する。最後に、この配線パターン１０が形成された絶縁層２０を、二つのビア７付のプリプレグ、さらに二つの銅薄膜で挟み込むように配置し、これらを加熱加圧により接着させ、その両方の外側面上に配線パターン１０を形成することにより、三層の絶縁層２０及び四層の配線パターン１０からなるベース基板８を作製する。
【００４２】
なお、ベース基板８の作製方法は、これに限らず、例えば片面銅張り板をエッチングでパターニングした後、ビア７を充填し、それを積層して一括プレスで作製してもよいし、その他のビルトアップ手法を使用してもよい。また、ベース基板８は、三層の絶縁層２０及び四層の配線パターン１０に限らず、より多くの層を形成するようにしてもよい。
【００４３】
次に、多層プリント配線板２の作製行程ｉｉ），ｉｉｉ）では、レーザ装置などを用いて、ベース基板８の所定位置に１層目から３層目まで、チップを搭載するための複数の貫通孔（凹部２ａに相当する）を設ける。そして、この貫通孔に２層目および３層目まで所定幅のキャビティをそれぞれ設け、銅部材６をキャビティに嵌合させつつ、ベース基板８と金属基台３０とを接着させることにより、多層プリント配線板２を作製する。なお、金属基台３０は、金型に溶融銅を加圧注入して凝固させるダイカスト法またはプレスにより、銅板３０ａ及び銅部材６が一体に成型されている。また、ベース基板８と金属基台３０との接着には、各種の導電性接着剤が用いられ得る。
【００４４】
最後に、ＩＣ搭載基板１の作製行程ｉｖ），ｖ）では、コンデンサーや抵抗等のチップ部品４等を、多層プリント配線板２の表面における信号線およびグランド上の所定位置にはんだ付けし、Ａｇエポキシ樹脂またはシリコン樹脂等の接着剤により、ベアチップ３を多層プリント配線板２の凹部２ａに接着（ダイボンド）させる。そして、１５０〜２００℃程度に加熱されたヒートステージ上に、ベアチップ３付の多層プリント配線板２を載置し、ボンディングツールを用いて、金や銅等の導体ワイヤ５により、ベアチップ３における信号線用のパッド部３ａと、多層プリント配線板２の表面（１層目の絶縁層側）の電極１０ａ，１０ｂとをボンディング接続する。また、ベアチップ３におけるグランド用のパッド部３ｂと、多層プリント配線板２の表面（１層目の絶縁層側）のグランドパッド１０ｃ〜１０ｆとをボンディング接続する。
【００４５】
＜効果＞
このＩＣ搭載基板１の製造方法では、ワイヤボンディング接続により、ベアチップ３のパッド部３ａ，３ｂと、多層プリント配線板２の電極部１０ａ〜１０ｆとを接続する際に、多層プリント配線板２側に超音波および荷重が与えられても、絶縁層２０の直下位置に設けられた銅部材６により、その超音波および荷重が分散されずに済むため、電極部１０ａ〜１０ｆに導体ワイヤ５を適切に熱融着させることができる。
【００４６】
したがって、このように製造されたＩＣ搭載基板１は、ベアチップ３が多層プリント配線板２に良好に接続された構造を有するため、その信頼性を向上させることができる。
また、ＩＣ搭載基板１によれば、多層プリント配線板２の絶縁層２０にＰＴＦＥが用いられているため、一般的に用いられるガラスエポキシ樹脂に比べて誘電正接が小さく、誘電体損失を抑制することができるため、ミリ波等の高周波信号を扱う機器に好適に使用することができる。
【００４７】
さらに、ＩＣ搭載基板１によれば、絶縁層２０の直下領域毎に、金属基台３０の銅部材６が複数接着されているため、絶縁層２０のうち銅部材６の占める割合を小さくすることができ、絶縁層２０内の配線パターン１０の配線密度を高くすることができる。
【００４８】
また、ＩＣ搭載基板１によれば、配線パターン１０と同じ線膨張係数となるように、ＰＴＦＥに予めガラスクロスが含まれており、銅部材６（金属基台３０）と配線パターン１０との材質を同じにすることにより、金属基台３０からの配線パターン１０の剥離を防止することができる。なお、その付随効果として、絶縁層２０からの配線パターン１０の剥離を防止することもできる。
【００４９】
［第二実施形態］
次に、本発明の第二実施形態を図面と共に説明する。
図４は、第二実施形態におけるＩＣ搭載基板の構成を断面視で示す構成図、図５は、その製造方法における主要な行程を断面視で示す行程図である。
【００５０】
＜全体構成＞
図４に示すように、本実施形態のＩＣ搭載基板１は、第一実施形態と比較して、ベアチップ３と多層プリント配線板２との接続方法が主に異なるため、この相違点を中心に説明し、その他の共通する部分については説明を省略する。
【００５１】
具体的にＩＣ搭載基板１は、多層プリント配線板２、ＩＣのベアチップ３、及びコンデンサーや抵抗等のチップ部品４を備え、ベアチップ３と多層プリント配線板２の表面（電極部１０ａ，１０ｂ）とが、ベアチップ３のパッド部３ａ，３ｂに形成されたバンプ（金または銅）を介して電気的に接続されている。なお、ベアチップ３は、多層プリント配線板２の表面（１層目の絶縁層２０側）に載置されている。
【００５２】
また、多層プリント配線板２は、配線パターン１０が周知のグランドコプレーナ線路により形成され、信号線幅、及び信号線とグランド線との間隔が、絶縁層２０の厚みを加味して、当該多層プリント配線板２の特性インピーダンスが所定値（例えば、５０Ω）となるように設計されている。
【００５３】
＜製造方法＞
図５に示すように、本実施形態のＩＣ搭載基板１の製造方法は、第一実施形態の製造方法と比較して、多層プリント配線板２の作製行程で貫通孔を設けずに、キャビティを一箇所のみ設ける点、及びＩＣ搭載基板１の作製行程でフリップチップ接続する点が異なるため、この相違点を中心に説明し、その他の共通する部分については説明を省略する。
【００５４】
具体的に多層プリント配線板２の作製行程ｉｉ），ｉｉｉ）では、レーザ装置などを用いて、ベース基板８の所定位置に２層目および３層目までキャビティを設け、銅部材６をキャビティに嵌合させつつ、ベース基板８と金属基台３０とを接着させることにより、多層プリント配線板２を作製する。
【００５５】
また、ＩＣ搭載基板１の作製行程ｉｖ），ｖ）では、コンデンサーや抵抗等のチップ部品４等を、多層プリント配線板２の表面における信号線上の所定位置にはんだ付けする。そして、１５０〜２００℃程度に加熱されたヒートステージ上に、多層プリント配線板２を載置し、ベアチップ３をフェイスダウンさせて、パッド部３ａ，３ｂに形成されたバンプをダイレクトに多層プリント配線板２の表面（１層目の絶縁層２０側）の電極１０ａ，１０ｂに融着させる。
【００５６】
＜効果＞
このＩＣ搭載基板１の製造方法によれば、導体ワイヤ５を介することなくベアチップ３を多層プリント配線板２に接続するため、ベアチップ３の実装面積を小さくすることができると共に、両者の接続部の長さを必要最小限に抑えることにより、この方法で製造されたＩＣ搭載基板１の電気的特性を向上させることができる。
【００５７】
［他の実施形態］
以上、本発明の実施形態について説明したが、本発明は上記実施形態に限定されるものではなく、本発明の要旨を逸脱しない範囲において、様々な態様にて実施することが可能である。
【００５８】
例えば、上記実施形態のＩＣ搭載基板１では、各絶縁層２０の厚みについて言及していないが、図６（ａ）や図６（ｂ）に示すように、各絶縁層２０のうち１層目の絶縁層２０の厚みが、他の絶縁層２０の厚みに比べて小さくなるように構成されてもよい。
【００５９】
この場合、１層目の絶縁層２０を薄くすることにより、ＩＣ搭載基板１の製造工程において、熱融着時（ボンディング時）の超音波および荷重の分散を抑制し、ひいてはベアチップ３を多層プリント配線板２に適切に接続することができる。
【００６０】
なお、上記実施形態のＩＣ搭載基板１において、配線パターン１０が、マイクロストリップ線路またはグランドコプレーナ線路により形成されているが、これに限定されるものではなく、コプレーナ線路により形成されてもよい。
【００６１】
また、配線パターン１０がマイクロストリップ線路の場合、図６（ｃ）や図６（ｄ）に示すように、１層目の絶縁層２０において電極部１０ａ〜１０ｆを含む側の面（第一面に相当する）上には線路パターン、１層目と２層目とが重なる面（第二面に相当する）上には、銅部材６及びビア７に対して必要な面積に相当する領域（直下領域）にのみグランドパターン、２層目の絶縁層において１層目に対する反対側の面（第三面に相当する）上には、直下領域（及び凹部２ａ）を除く領域にグランドパターンが形成されてもよい。そして、第二面上および第三面上のグランドパターンが、２層目の絶縁層２０に設けられたビア７を介在して接続されるとよい。
【００６２】
ここで、二層分の絶縁層２０の厚みｈは、マイクロストリップ線路の線路幅をＷ、絶縁層２０の比誘電率をεｒ、多層プリント配線板２の特性インピーダンスをＺとして、次式（１）
Ｚ＝（１２０π／εeff1/2）／｛Ｗ／ｈ＋１．３９３＋ｌｎ（Ｗ／ｈ＋１．４４４）｝  ・・・（１）
但し、εeff＝（εｒ＋１）／２＋（εｒ−１）／２（１＋１２ｈ／Ｗ）1/2
に基づいて設定されればよい。例えば、Ｚ＝５０Ω、εｒ＝３．５、Ｗ＝３００μｍである場合、ｈ≒１３５μｍとなるため、各絶縁層２０の厚みを約６７．５μｍとすることが考えられる。
【００６３】
このように構成されたＩＣ搭載基板１によれば、実質的に１層目の絶縁層２０のうち直下領域に相当する部分のみを薄くすることに等しく、前述と同様に、ベアチップ３を多層プリント配線板２に適切に接続することができると共に、特性インピーダンスに与える影響を必要最小限に抑えることができる。
【００６４】
ところで、上記実施形態のＩＣ搭載基板１では、金属基台３０を例えば放熱板として用いるように構成されているが、これに限定されるものではなく、スロットアンテナとして用いるように構成されてもよい。なお、金属基台３０は、銅を含む金属で成型されてもよいし、銅以外の金属で成型されてもよい。
【００６５】
また、上記実施形態のＩＣ搭載基板１では、一つのベアチップ３が搭載された構造を有するが、これに限定されるものではなく、複数のベアチップ３が搭載されたいわゆるマルチチップモジュールであってもよい。さらに言えば、ＩＣ搭載基板１は、多層プリント配線板２の代わりに、単層プリント配線板により構成されてもよい。
【００６６】
なお、第一実施形態のＩＣ搭載基板１では、ベアチップ３が多層プリント配線板２の凹部２ａに載置され、銅部材６が絶縁層２０内に複数接着された構造を有するが、これに限らず、図６（ｅ）に示すように、ベアチップ３が多層プリント配線板２の表面（１層目の絶縁層２０側）に載置され、銅部材６がベアチップ３及び電極部１０ａ〜１０ｆに対応して絶縁層２０内に一つだけ嵌合された構造を有してもよい。
【符号の説明】
【００６７】
１…ＩＣ搭載基板、２…多層プリント配線板、２ａ…凹部、３…ベアチップ、３ａ，３ｂ…パッド部、４…チップ部品、５…導体ワイヤ、６…銅部材、７…ビア、８…ベース基板、１０…配線パターン、１０ａ〜１０ｆ…電極部、２０…絶縁層、３０…金属基台。
【図１】
2010205772.tif 000003
【図２】
2010205772.tif 000004
【図３】
2010205772.tif 000005
【図４】
2010205772.tif 000006
【図５】
2010205772.tif 000007
【図６】
2010205772.tif 000008